(57)【要約】【課題】シンク底部の排水容器の内部に水を溜めて排水容器の内部やごみ溜器を浸け置き洗いできるシンクの排水装置を簡単な構造で安価に構成できるようにする。【解決手段】  生ごみを水切状態で一時的に溜める網かご１８を内部に収容可能な排水容器１６を、シンク底部１２ａの排水開口１７に連設して成るシンク１２の排水装置において、排水容器１６の底部の流出口３０を閉鎖可能な栓体４４と、栓体４４を上下に貫通する状態で栓体４４に取り付けられたオーバーフロー管４８とを有し、流出口３０を閉鎖する状態に栓体４４をセットすることで、排水容器１６の内部に且つオーバーフロー管４８の上端の水位まで水溜可能とする水溜栓４２を備えておく。【選択図】        図５
2009013725.tif 000002
【特許請求の範囲】
【請求項１】
水切用の通水孔を備えて生ごみを水切状態で一時的に溜めるごみ溜器を内部に収容可能な排水容器をシンク底部から下方に凹陥する形態で該シンク底部の排水開口に連設し、該シンクの排水開口から流下した排水を該排水容器の底部の流出口より排水管を通じて排出するようになしたシンクの排水装置であって
前記流出口を閉鎖可能な栓体と、該栓体を上下に貫通する状態で該栓体に取り付けられたオーバーフロー管とを有し、前記流出口を閉鎖する状態に前記栓体をセットすることで、前記排水容器の内部に且つ前記オーバーフロー管の上端の水位まで水溜可能とする水溜栓を備えていることを特徴とするシンクの排水装置。
【請求項２】
請求項１において、前記ごみ溜器の底部には前記オーバーフロー管を挿通させる開口が設けてあるとともに、該ごみ溜器には該開口を開閉する開閉蓋が備えてあり、該開口を開放した状態で前記ごみ溜器が前記排水容器内部に且つ前記水溜栓のセット状態の下で収容可能となしてあることを特徴とするシンクの排水装置。
【請求項３】
請求項２において、前記開閉蓋が前記ごみ溜器の底部に開閉可能に取り付けてあることを特徴とするシンクの排水装置。
【請求項４】
請求項２，３の何れかにおいて、前記開閉蓋は水切用の通水孔を有していることを特徴とするシンクの排水装置。
【発明の詳細な説明】
【技術分野】
【０００１】
この発明はシンクの排水装置に関し、詳しくはシンク底部から下方に凹陥する形態で設けられ、生ごみを一時的に溜めるごみ溜器を内部に収容可能な排水容器の底部の流出口から排水を排出するようになしたシンクの排水装置に関する。
【背景技術】
【０００２】
通常、キッチンシンクのシンク底部には下方に凹陥する形態で排水容器が設けられていて、その内部に水切用の通水孔を備えたごみ溜器が収容され、ごみ溜器内で生ごみを水切りした状態で一時的に溜められるようになっている。
【０００３】
シンクからの排水は、シンク底部の排水開口及びこれらごみ溜器や排水容器を経て、排水容器の底部の流出口から排水管を通じ外部に排出される。
従来から、この排水容器の内部やごみ溜器には生ごみ等によるぬめり等の汚れが付着し易く、それによる臭気が発生して不潔感，不快感を与えてしまうことが問題視されていた。
【０００４】
下記特許文献１には、こうした問題を解決することを目的として、排水容器の側壁外面に超音波発信器を取り付け、排水容器の内部に水を溜めた状態で超音波発信器から超音波を発信することで、排水容器の内部やごみ溜器等を超音波洗浄し、汚れ除去するようになしたものが開示されている。
【０００５】
しかしながらこの特許文献１に開示のものは、排水容器の内部に水を溜めるために、排水容器の下流側に電磁バルブからなる排水弁を設けており、装置が大掛かりで所要コストも高くなってしまう問題がある。
またこのものは電磁バルブからなる排水弁が故障を生じ易い問題も有する。
【０００６】
一方下記特許文献２には、流し台のごみ受器下の排水トラップ内の流出口を栓体で閉鎖してごみ受器の上部まで水を溜め、そこに漂白剤を入れることによって、排水容器内面やそこに収容されているごみ溜器等に付着したカビやぬめり等を取り除くようになした点が開示されている。
しかしながらこのものでは、排水容器内部に水を溜めるためにシンク内部に水を流したままとしておくと、シンクから水が溢れてしまう問題を生じる。
【０００７】
他方特許文献３には、シンク底部の排水開口に栓をしてこれを閉鎖し、これによりシンク内部に水を溜めて、そこで食器類を浸け洗いできるようになした点が開示されている。
しかしながらこの特許文献３に開示のものは、排水容器には水を溜めることのできないものであり、本発明とは異なっている。
【０００８】
また下記特許文献４には、排水容器の流出口を栓体で閉鎖し、排水容器内部に水を溜められるようになした点が開示されている。
しかしながらこの特許文献４に開示のものも、水を溜める際の水位を制御できないものであり、本発明とは異なっている。
【０００９】
【特許文献１】特開２００４−３２４１０８号公報
【特許文献２】特開２００６−２９１６８５号公報
【特許文献３】実開平１−１６７４６９号公報
【特許文献４】実公昭３０−７８６９号公報
【発明の開示】
【発明が解決しようとする課題】
【００１０】
本発明は以上のような事情を背景とし、シンク底部の排水容器の内部に水を溜めて、排水容器の内面やそこに収容したごみ溜器を浸け置き洗いし、そこに付着したぬめり等の汚れを除去可能とするシンクの排水装置を提供すること、また水溜時にシンクに水を流したままとしてもシンクから水が溢れ出ないようにすること、更にその排水装置を簡単な構造で安価に構成できるようにすることを目的としてなされたものである。
【課題を解決するための手段】
【００１１】
而して請求項１のものは、水切用の通水孔を備えて生ごみを水切状態で一時的に溜めるごみ溜器を内部に収容可能な排水容器をシンク底部から下方に凹陥する形態で該シンク底部の排水開口に連設し、該シンクの排水開口から流下した排水を該排水容器の底部の流出口より排水管を通じて排出するようになしたシンクの排水装置であって、前記流出口を閉鎖可能な栓体と、該栓体を上下に貫通する状態で該栓体に取り付けられたオーバーフロー管とを有し、前記流出口を閉鎖する状態に前記栓体をセットすることで、前記排水容器の内部に且つ前記オーバーフロー管の上端の水位まで水溜可能とする水溜栓を備えていることを特徴とする。
【００１２】
請求項２のものは、請求項１において、前記ごみ溜器の底部には前記オーバーフロー管を挿通させる開口が設けてあるとともに、該ごみ溜器には該開口を開閉する開閉蓋が備えてあり、該開口を開放した状態で前記ごみ溜器が前記排水容器内部に且つ前記水溜栓のセット状態の下で収容可能となしてあることを特徴とする。
【００１３】
請求項３のものは、請求項２において、前記開閉蓋が前記ごみ溜器の底部に開閉可能に取り付けてあることを特徴とする。
【００１４】
請求項４のものは、請求項２，３の何れかにおいて、前記開閉蓋は水切用の通水孔を有していることを特徴とする。
【発明の作用・効果】
【００１５】
以上のように本発明は、排水容器の底部の流出口を閉鎖可能な栓体と、これを上下に貫通するオーバーフロー管とを有し、その流出口を閉鎖する状態に栓体をセットすることで、排水容器の内部に且つオーバーフロー管の上端の水位まで水溜可能とする水溜栓を備えたもので、この請求項１によれば、単に水溜栓をセットするだけで簡単に排水容器内部に水を溜めることができる。
【００１６】
そこでシンクから排水容器内部に洗剤を注入しておくことで、排水容器の内部を浸け置き洗いし、洗浄することができる。
これにより排水容器内部に付着したぬめり等の汚れを簡単に除去し得て、排水容器内部を常に清浄に保持することができ、排水容器内部が臭気の発生源となる問題を解決することができる。
【００１７】
またこの請求項１のものでは、故障し易い電磁バルブ等の排水弁を、排水容器の内部に水を溜めるための手段として用いる必要がなく、メンテナンスも容易であるとともに、電磁バルブ等からなる排水弁を設けることによって、排水装置の構造が複雑化するといったことがなく、また所要コストも安価となすことができる。
【００１８】
この請求項１では、上記水溜栓がオーバーフロー管を備えていて、排水容器の流出口を栓体で閉鎖すると同時にオーバーフロー管が設置された状態となるため、排水容器内部に水を溜めるためにシンク内に流し台水栓等から水を流したままとしておいても、溜水の水位がオーバーフロー管のオーバーフロー口、例えば上端開口（オーバーフロー口は必ずしも上端開口でなくても良いが、以下上端開口を代表例として説明する）まで達すると、余剰の水がオーバーフロー管内にオーバーフローし、かかるオーバーフロー管及び排水管を通じて外部に排出されるため、水の止め忘れによってシンクから水が溢れ出してしまうといったことを確実に防止することができる。
【００１９】
ここでオーバーフロー管は、上端開口（つまりオーバーフロー口）の高さを、排水容器の内部全体に水を溜めることができるように定めておくことが望ましい。
この場合においてオーバーフロー管の上端開口をシンク底部よりも若干高位置に位置させるようにしておくことができる。
【００２０】
請求項２は、ごみ溜器の底部に上記のオーバーフロー管を挿通させる開口を設けておくとともに、ごみ溜器に、その開口を開閉する開閉蓋を具備させておき、同開口を開放状態とすることによって、ごみ溜器を排水容器内部に且つ上記水溜栓のセット状態の下で収容可能となしたもので、この請求項２によれば、オーバーフロー管の存在にも拘らず、ごみ溜器を排水容器内部に収容し且つその状態で排水容器内部に水を溜めることができ、従って排水容器の内部とともにごみ溜器をも浸け置き洗いし、ぬめり等の汚れを同時に洗浄し除去することが可能となる。
【００２１】
またごみ溜器には、底部の開口を開閉する開閉蓋が備えてあるため、通常時にはその開口を開閉蓋で閉じた状態で、排水容器内部に収めておくことができる。
この場合において、上記開閉蓋はごみ溜器の本体から分離して取り出すようになしておくこともできるが、請求項３に従ってかかる開閉蓋を、ごみ溜器の底部に開閉可能に取り付けておくことが望ましい。
このようにすれば開閉蓋をごみ溜器に対して着脱する手間が不要となり、また一旦ごみ溜器から取り外した開閉蓋を紛失してしまう恐れもなくすことができる。
【００２２】
ここで開閉蓋は、水切用の通水孔を有するものとなしておくことができる（請求項４）。
このようにしておけば、底部の開口を開閉蓋で閉鎖した状態の下でも、その開閉蓋の通水孔を通じて内部の水を排出し、水切りすることが可能となる。
【発明を実施するための最良の形態】
【００２３】
次に本発明の実施形態を図面に基づいて詳しく説明する。
図１において、１０はキッチンに設置された流し台で、１２，１４は流し台１０に備えられたシンク，流し台水栓である。
１６は、シンク底部１２ａから下方に凹陥する形態でシンク底部１２ａの排水開口１７に連設された排水容器で、１８は排水容器１６内部に収容された網かご（ごみ溜器）である。
【００２４】
網かご１８は内部に生ごみを水切状態で一時的に溜め置くもので、図３に示しているように周壁２０が金属メッシュ材にて構成され、また底部２２がパンチングメタルプレートにて構成されている。
この底部２２にはパンチングによる多数の貫通の通水孔２４が全体に亘って分散状に形成されている。
尚、周壁２０においてはメッシュの網目が貫通の通水孔を形成している。
この網かご１８にはまた、上端部に径方向外向きのフランジ部２６が備えられている。
【００２５】
上記排水容器１６は全体として円筒容器状をなしている。
その上端には、図２に拡大して示しているように外向きのフランジ部２８が備えられていて、このフランジ部２８が、シンク底部１２ａにより支持される状態に、シンク底部１２ａに取り付けられている。
【００２６】
一方、底部の中心部に下向きの流出口３０が設けられており、この流出口３０から排水管３２（図１参照）が延び出している。
排水管３２の途中には排水トラップ３４が設けられている。ここで排水トラップ３４は封水を保持して、臭気がキッチンシンク１２側に逆流するのを防止する。
排水容器１６にはまた、図２に示しているように上端のほぼ直下の位置に段付部３６が設けられており、そこに網かご１８のフランジ部２６が掛止されて、かかる網かご１８が排水容器１６にて支持されるようになっている。
【００２７】
図３に示しているように、網かご１８の底部２２にはその中心部に、後述の水溜栓４２におけるオーバーフロー管を下方から上方に挿通させる貫通の開口（ここでは円形）３８が形成されている。
更にこの底部２２には、この開口３８を開閉する開閉蓋４０ａが取り付けられている。
ここで開閉蓋４０は蓋部４０ａと、これを底部２２に回転可能に取り付けるヒンジ４０ｂとで構成されている。
【００２８】
蓋部４０ａには、水切用の多数の通水孔が形成されている。具体的にはここでは蓋部４０ａが金属メッシュ材にて構成され、そのメッシュの網目にて通水孔が形成されている。
尚この実施形態では、開閉蓋４０は底部２２の上面に取り付けられ、そして上向きに回転することによって開口３８を開放し、またその状態から下向きに回転することによって開口３８を閉鎖する。
【００２９】
図４において、４２は排水容器１６の流出口３０を閉鎖して、排水容器１６内に水を溜めるための水溜栓で、下端部にゴム製の栓体４４を備えている。
ここでゴム製の栓体４４には上端にフランジ部４６が一体に形成されている。
水溜栓４２には、この栓体４４とともに栓体４４に取り付けられたオーバーフロー管４８が備えられている。
オーバーフロー管４８は、図４（Ｂ）に示しているように栓体４４の下端からこれを貫通して上向きに延び出している。
【００３０】
図５は本実施形態の作用を表している。
この実施形態では、排水容器１６内部に水を溜める際、網かご１８の開口３８の口径が水溜栓４２の栓体４４よりも小さい場合には、先ず図５（Ａ）に示しているように網かご１８を排水容器１６内部から取り出し、その状態で水溜栓４２を、栓体４４にて排水容器１６の底部の流出口３０を閉鎖する状態にセットする。
【００３１】
このときオーバーフロー管４８は、上端部がシンク底部１２ａよりも僅かに上向きに突き出した状態、即ちオーバーフロー口としての上端開口がシンク底部１２ａより僅かに高位置に位置した状態となる。そのようにオーバーフロー管４８の長さが予め定められている。
この状態で排水容器１６の上方に持ち来した網かご１８を下向きに押し込み、排水容器１６内部収容する。その際網かご１８の開閉蓋４０が、オーバーフロー管４８にて上向きに突き上げられて、網かご１８の底部の開口３８を開き、オーバーフロー管４８を開口３８に対して上向きに挿通させる。
図５（Ｂ）はこのときの状態を表している。
【００３２】
この状態で流し台水栓１４からシンク１２に向けて水を流すと、流し台水栓１４からの水が排水容器１６内部に溜められる。
そしてその溜水の水位がオーバーフロー管４８の上端まで達すると、それ以後流し台水栓１４から流された余剰の水はオーバーフロー管４８内部にオーバーフローし、続いてオーバーフロー管４８内を流下して排水管３２を通じて外部に排出される。
即ち流し台水栓１４から水を出したままに放置しておいても、シンク１２内部から水が溢れてしまう恐れはない。
【００３３】
さてこのようにして水溜器１６内部に水を溜めた後、排水容器１６内部に洗剤を注入し、所定時間放置しておくことで、排水容器１６内部及びそこに収容された網かご１８全体を浸け置き洗いし、それらに付着したぬめり等の汚れを洗浄除去することができる。
【００３４】
以上のようにして浸け置き洗いをした後、先ず網かご１８を排水容器１６から取り出し、次いで水溜栓４２を上向きに引き抜いて排水容器１６から取り外した後、水ですすぎ洗いをした上で再び網かご１８を排水容器１６内に収容状態としておく。
【００３５】
以上は網かご１８の開口３８の口径が、水溜栓４２の栓体４４よりも小さい場合であるが、かかる開口３８の口径を栓体４４よりも大きくしておくこともできる。
この場合には、網かご１８を排水容器１６内部に収容した状態のまま開閉蓋４０を開くことで、水溜栓４２を下端部の栓体４４から網かご１８の開口３８に図中上方から下向きに挿通し、栓体４４を排水容器１６の底部の流出口３０を閉鎖する状態にセットすることができる。
従ってその後、流し台水栓１４から水を排水容器１６に向けて流すことで図５（Ｂ）に示す状態、即ち排水容器１６内部に水を溜めた状態とすることができる。
尚、上記開閉蓋４０はばね等にてこれを閉方向に付勢しておいても良い。
【００３６】
以上のように本実施形態によれば、単に水溜栓４２をセットするだけで、簡単に排水容器１６内部に水を溜めることができる。
そこでシンク１２から排水容器１６内部に洗剤を注入しておくことで、排水容器１６の内部及びそこに収容した網かご１８を浸け置き洗いし、洗浄することができる。
これにより排水容器１６内部や網かご１８に付着したぬめり等の汚れを簡単に除去し得て、排水容器１６内部及び網かご１８を常に清浄に保持することができ、排水容器１６内部及び網かご１８が臭気の発生源となる問題を解決することができる。
【００３７】
またこの実施形態では、故障し易い電磁バルブ等の排水弁を排水容器１６の内部に水を溜めるための手段として用いる必要がなく、メンテナンスも容易であるとともに、電磁バルブ等からなる排水弁を設けることによって、排水装置の構造が複雑化するといったことがなく、また所要コストも安価となすことができる。
【００３８】
本実施形態では、上記水溜栓４２がオーバーフロー管４８を備えていて、排水容器１６の流出口３０を栓体４４で閉鎖すると同時にオーバーフロー管４８が設置された状態となるため、排水容器１６内部に水を溜めるために、シンク１２内に流し台水栓１４等から水を流したままとしておいても、溜水の水位がオーバーフロー管４８の上端まで達すると余剰の水がオーバーフロー管４８内にオーバーフローし、かかるオーバーフロー管４８及び排水管３２を通じて外部に排出されるため、水の止め忘れによってシンク１２から水が溢れ出してしまうといったことを確実に防止することができる。
【００３９】
この実施形態では、網かご１８の底部にオーバーフロー管４８を挿通させる開口３８が設けてあるとともに、網かご１８にその開口３８を開閉する開閉蓋４０が備えてあって、水溜栓４２のセット状態の下でも網かご１８が排水容器１６内に収容可能となしてあるため、排水容器１６内部とともに網かご１８をも浸け置き洗いし、ぬめり等の汚れを同時に洗浄し除去することができる。
【００４０】
また網かご１８には、その底部２２の開口３８を開閉する開閉蓋４０が備えてあるため、通常時にはその開口３８を開閉蓋４０で閉じた状態で、排水容器１６内部に収めて溜めておくことができる。
ここで開閉蓋４０は網かご１８の底部２２に開閉可能に取り付けられているため、開閉蓋４０を網かご１８に対して着脱する手間が不要となり、また一旦網かご１８から取り外した開閉蓋４０を紛失してしまう恐れもない。
【００４１】
また開閉蓋４０は水切用の通水孔を有しているため、底部２２の開口３８を開閉蓋４０で閉鎖した状態の下でも、その開閉蓋４０の通水孔を通じて内部の水を排出し、水切りすることができる。
【００４２】
図６及び図７は本発明の他の実施形態を示している。
この例は、開閉蓋４０を網かご１８の底部２２の下面（裏面）に開閉可能に取り付けた例である。
この実施形態においては、開口３８の口径が水溜栓４２における栓体４４よりも大きいものとされている。
またこの実施形態では、開閉蓋４０が閉方向即ち図中上向きに付勢されている。
【００４３】
図７はこの実施形態の作用を表している。
この例では、網かご１８を排水容器１６内部に収容した状態のまま、水溜栓４２の先端部の栓体４４にて網かご１８の開閉蓋４０の蓋部４０ａを下向きに押し、これを開くことによって、網かご１８を排水容器１６内部に収容したまま、水溜栓４２をセットすることができる。即ち栓体４４にて排水容器１６の流出口３０を閉鎖する状態に、水溜栓４２をセットすることができる。
その後において流し台水栓１４から水を出すことによって、排水容器１６内部に水を溜めることができる。
【００４４】
この実施形態においても、排水容器１６内部に水を溜めた状態の下で、洗剤の注入により排水容器１６内部及び網かご１８を洗浄することができるが、その後において水溜栓４２を取り外す際、そのままこれを上向きに引くことで、水溜栓４２を排水容器１６内部から取り出すことができる。
但しこの実施形態では開閉蓋４０が閉方向に付勢されているので、水溜栓４２を上向きに引き抜く際に開閉蓋４０が水溜栓４２の栓体４４と干渉しないように、ある程度これを開いた状態に保持し、その状態で水溜栓４２を上向きに引き抜くようにする。
【００４５】
図８及び図９は本発明の更に他の実施形態を示している。
この例は、網かご１８の底部２２の開口３８に弾性材製の、例えばゴム製の（以下ゴム製とする）開閉蓋５０を設けた例である。
ここでゴム製の開閉蓋５０は、全体として円形の薄板状に構成してあり、そこに中心部から放射状に多数の切目５２が入れてあって（図８（Ｂ）参照）、それら切目５２間の部分が、平面三角形状をなす弾性片５４とされている。
従ってこの実施形態では、弾性片５４を上向き又は下向きに押し、それら弾性片５４を弾性変形させることで、開口３８を開くことができる。
また力を除くことによって弾性片５４を原形状に復帰させ、開口３８を閉じた状態とすることができる。
【００４６】
図９はこの実施形態の作用を表したもので、この実施形態では、例えば開口３８の口径、厳密には弾性片５４の弾性変形により得られる開放部分の大きさが栓体４４よりも小さい場合には、排水容器１６内部に水を溜めるに当って、先ず網かご１８を取り除いておき、その状態で図９（Ａ）に示しているように水溜栓４２をセットする。
【００４７】
しかる後、水溜栓４２のオーバーフロー管４８によって開閉蓋５０の弾性片５４を上向きに弾性的に曲げ変形させるようにして、網かご１８を排水容器１６内部に押し込み、そこに収容状態とする。
そしてその後に排水容器１６内部に水を溜める。その際の作用は上記したのと同様である。
また水溜栓４２を取り外すには、一旦網かご１８を排水容器１６から取り出した上で、セット状態にある水溜栓４２を上向きに引っ張り上げ、排水容器１６から取り出す。そして水ですすぎ洗いした後に網かご１８を再び排水容器１６内部に収容状態とする。
【００４８】
一方、開口３８の口径（この場合においても厳密には弾性片５４の変形により生ずる開放部の大きさ）が水溜栓４２の栓体４４よりも大きい場合には、網かご１８を排水容器１６内部に収容した状態のまま、水溜栓４２を上方から下向きに押し込み、その際ゴム製の開閉蓋５０の弾性片５４を下向き曲げ変形させながら、ゴム栓４４にて流出口３０を閉鎖する状態に、水溜栓４２をセットする。
【００４９】
またその状態で排水容器１６内部に水を溜め、排水容器１６内部及び網かご１８を浸け置き洗いした後に、水溜栓４２をそのまま上方に引き抜くことで、これを排水容器１６から外部に取り出すことができる。
水溜栓４２を図中上向きに引き抜くと、水溜栓４２の下端部の栓体４４が開閉蓋５０に当るが、そのまま水溜栓４２に対し上向きの力を加えると、栓体４４がゴム栓５０を上向きに弾性変形させてこれを開くため、そのまま水溜栓４２を上向きに引き出すことができる。
【００５０】
尚、上記の開閉蓋５０に水切用の通水孔を積極的に設けておきたい場合には、開閉蓋５０を図８（Ｃ）に示すような形態で構成しておくことができる。
図（Ｃ）の例では、図８（Ｂ）の切目５２をスリット状に形成して、そのスリットにより水切用の通水孔５６を、また切目の付根にも穴形状の通水孔５８を、更に開閉蓋５０の中央部即ち各弾性片５４の先端側にも円形穴形状の通水孔６０を形成している。
但しこれら通水孔５６，５８，６０は生ごみが通過しないような大きさに選定しておく。
【００５１】
以上本発明の実施形態を詳述したが、これらはあくまで一例示であり、本発明はその趣旨を逸脱しない範囲において種々変更を加えた形態で構成可能である。
【図面の簡単な説明】
【００５２】
【図１】本発明の一実施形態であるシンクの排水装置を流し台の周辺部とともに示した図である。
【図２】同実施形態における排水容器を網かごとともに示した図である。
【図３】同実施形態における網かごの単品図である。
【図４】同実施形態における水溜栓の単品図である。
【図５】同実施形態の作用説明図である。
【図６】本発明の他の実施形態の図である。
【図７】図６の実施形態の作用説明図である。
【図８】本発明の更に他の実施形態の図である。
【図９】図８の実施形態の作用説明図である。
【符号の説明】
【００５３】
１２  シンク
１２ａ  シンク底部
１７  排水開口
１８  網かご（ごみ溜器）
２２  底部
２４  通水孔
３０  流出口
３２  排水管
３８  開口
４０  開閉蓋
４２  水溜栓
４４  栓体
４８  オーバーフロー管
５６，５８，６０  通水孔
【図１】
2009013725.tif 000003
【図２】
2009013725.tif 000004
【図３】
2009013725.tif 000005
【図４】
2009013725.tif 000006
【図５】
2009013725.tif 000007
【図６】
2009013725.tif 000008
【図７】
2009013725.tif 000009
【図８】
2009013725.tif 000010
【図９】
2009013725.tif 000011